(57)【要約】【課題】ワイヤレスで作動されるヘッドホン１５内に設けられている２次電池３９の充電を充電台１６によって不使用時に確実に行なうようにする。【解決手段】ヘッドホン１５の筐体２０の底部に被係止部３０と電極３１とを設けておき、これに対して充電台１６側にはその受け板３５の受け面３６上に爪から成る係止部３７と接点部材３８とを設けておく。そしてヘッドホン１５を充電台１６上に載置してその被係止部３０を充電台１６側の係止部３７によって係止すると、梃の原理によってヘッドホン１５の電極３１が充電台１６側の接点部材３８に圧着されるようにしたものである。【選択図】　図３
2004112858.tif 000002
【特許請求の範囲】
【請求項１】
２次電池を内蔵する機器を充電台に載置して前記２次電池の充電を行なう充電装置において、
前記充電台側に係止部と接点部材とを設けるとともに、
前記機器側に前記係止部によって係止される被係止部と前記接点部材と接触して前記２次電池に給電を行なう電極とを設け、
前記機器を前記充電台に載置して前記被係止部を前記係止部によって係止すると、前記機器の重量による該機器の前記係止部を中心とする回転モーメントによって前記電極が前記接点部材に対して前記機器の重量よりも大きな力で圧着されることを特徴とする充電装置。
【請求項２】
前記機器が充電台に載置されるとともに前記被係止部が前記係止部によって係止されると、前記機器の重心を通る鉛直線と前記係止部との間の位置で前記電極が前記接点部材と接触することを特徴とする請求項１に記載の充電装置。
【請求項３】
前記充電台の受け面がほぼ円弧状をなし、該受け面上において前記機器を回動させると前記被係止部が前記係止部によって係止されるとともに、前記電極が前記接点部材と接触する位置で停止することを特徴とする請求項１に記載の充電装置。
【請求項４】
前記充電台がワイヤレスの送信手段を具備するとともに前記機器がワイヤレスの受信手段を具備し、前記機器を前記充電台から取外して使用する際に前記２次電池によって前記機器の受信手段と該受信手段の出力が供給される出力手段とが駆動されることを特徴とする請求項１に記載の充電装置。
【請求項５】
前記送信手段と前記受信手段との間で赤外線によって信号の送信を行なうことを特徴とする請求項４に記載の充電装置。
【請求項６】
前記充電台に赤外線発光部が設けられるとともに前記機器に赤外線受光部が設けられることを特徴とする請求項５に記載の充電装置。
【請求項７】
前記機器がワイヤレス式のヘッドホンであることを特徴とする請求項１に記載の充電装置。
【請求項８】
前記ヘッドホンの出力ユニットの筐体がほぼ円形または楕円形の形状をなし、前記充電台のほぼ円弧状の受け面上において前記筐体の外周部が前記受け面に沿って回動して前記被係止部が前記係止部によって係止された位置で安定に保持されることを特徴とする請求項７に記載の充電装置。
【請求項９】
ワイヤレスで使用する機器と、該機器を不使用時に載置しておく載置台を兼ねる充電台とを具備し、
前記機器側にワイヤレスで信号を受信する受信手段を設けるとともに、前記充電台側に前記機器に対してワイヤレスで信号を送信する送信手段を設け、
さらに前記機器側に電極と被係止部とを設けるとともに、前記充電台側に接点部材と係止部とを設け、
前記機器を前記充電台上に載置すると前記被係止部が前記係止部に係止され、前記機器の重量による前記被係止部と前記係止部との係止位置を支点とする回転モーメントによって前記電極が前記接点部材に圧着されることを特徴とする充電装置。
【請求項１０】
前記機器の下部に前記電極が設けられ、充電台上に前記機器を載置すると該充電台の受け面に臨んで設けられた接点部材に対して前記電極が圧着されることを特徴とする請求項９に記載の充電装置。
【請求項１１】
２次電池を内蔵する機器を充電台に載置して前記２次電池の充電を行なう充電方法において、
前記充電台側に係止部と接点部材とを設けるとともに、
前記機器側に前記係止部によって係止される被係止部と前記接点部材と接触して前記２次電池に給電を行なう電極とを設け、
前記機器を前記充電台に載置して前記被係止部を前記係止部によって係止すると、前記機器の重量による該機器の前記係止部を中心とする回転モーメントによって前記電極が前記接点部材に対して前記機器の重量よりも大きな力で圧着され、前記接点部材と前記電極とを通して給電されて前記２次電池が充電されることを特徴とする充電方法。
【請求項１２】
前記機器が充電台に載置されるとともに前記被係止部が前記係止部によって係止されると、前記機器の重心を通る鉛直線と前記係止部との間の位置で前記電極が前記接点部材と接触することを特徴とする請求項１１に記載の充電方法。
【発明の詳細な説明】
【０００１】
【発明の属する技術分野】
本発明は充電装置および充電方法に係り、とくに２次電池を内蔵する機器を充電台に載置して２次電池の充電を行なう充電装置に関する。
【０００２】
【従来の技術】
特許第２７７０３８９号公報には図９に示すように、ワイヤレス式のヘッドホン１と送信装置２とから成る充電装置が開示されている。送信装置２のキャビネットの上端側には係合凹部３が形成され、この係合凹部３の寸法がヘッドホン１のハンガー部４の幅とほぼ等しくなっており、とくにハンガー部４の中央部であって隆起部５を受入れるようになっている。
【０００３】
ヘッドホン１をこの送信装置２上に載置するとともに、上記ハンガー部４の隆起部５を係合凹部３に挿入すると、係合凹部３に立設されているピン６が隆起部５の孔７内に挿入され、孔７内の電極に接触するようになる。これによって送信装置２側の電源回路によってヘッドホン１内に設けられている２次電池８を充電するようにしている。
【０００４】
ここで送信装置２には発光素子９が設けられ、ヘッドホン１には受光素子１０が設けられている。従ってヘッドホン１の２次電池８をこの送信装置２によって充電した後にヘッドホン１を取外して使用する際に、送信装置２の発光素子９からヘッドホン１の受光素子１０に赤外線等によって信号を送信することが可能になり、これによって信号ケーブルを用いることなくヘッドホン１で音声を再生することが可能になる（特許文献１参照）。
【０００５】
また実公平７−２２９５５号には、動作電源として２次電池を用いたワイヤレスヘッドホンにおいて、２次電池を充電するための充電端子を、ヘッドホンの動作状態を切換えるスイッチの操作部と連動する開閉板体によって開閉可能とし、頭部装着時にはこの開閉板体で充電端子を開閉することにより、充電端子に髪や地肌が触れないようにし、充電端子の腐食や接触不良を防止するようにしたワイヤレスヘッドホンが開示されている（特許文献２参照）。
【０００６】
【特許文献１】特許第２７７０３８９号公報
【特許文献２】実公平７−２２９５５号公報
【発明が解決しようとする課題】
２次電池を内蔵したワイヤレス式のヘッドホンの充電作業は簡便であることが望ましい。そこで２次電池をヘッドホンから取出すことなく、充電台に載置することによって充電可能な充電装置が上記の特許文献１や特許文献２に開示されている。しかるにこれらの従来の充電装置は、ヘッドホン１の重量を利用して充電用のピン６と電極とを接触させて給電を行なうようにしている。従ってヘッドホンの自重以上の接点圧の確保が不可能である。従って接点６の接続が必ずしも安定ではない欠点がある。また充電作業の際にヘッドホン側の電極と充電台側のピンとの位置を正しく合わせるのに微妙な調整が必要になる等の問題があった。
【０００７】
本発明はこのような問題点に鑑みてなされたものであって、ヘッドホン等のワイヤレスの機器の重量以上の接点圧を十分に確保することが可能になるとともに、接続部材を電極に正しく接触させるために微妙な調整を必要としないようにした充電装置を提供することを目的とする。
【０００８】
【課題を解決するための手段】
本願の主要な発明は、
２次電池を内蔵する機器を充電台に載置して前記２次電池の充電を行なう充電装置において、
前記充電台側に係止部と接点部材とを設けるとともに、
前記機器側に前記係止部によって係止される被係止部と前記接点部材と接触して前記２次電池に給電を行なう電極とを設け、
前記機器を前記充電台に載置して前記被係止部を前記係止部によって係止すると、前記機器の重量による該機器の前記係止部を中心とする回転モーメントによって前記電極が前記接点部材に対して前記機器の重量よりも大きな力で圧着されることを特徴とする充電装置に関するものである。なおここで機器に内蔵される２次電池は交換不能に内蔵されるものと、交換可能に内蔵される収納式のものの何れをも含むものである。
【０００９】
ここで前記機器が充電台に載置されるとともに前記被係止部が前記係止部によって係止されると、前記機器の重心を通る鉛直線と前記係止部との間の位置で前記電極が前記接点部材と接触することが好ましい。また前記充電台の受け面がほぼ円弧状をなし、該受け面上において前記機器を回動させると前記被係止部が前記係止部によって係止されるとともに、前記電極が前記接点部材と接触する位置で停止することが好適である。
【００１０】
また前記充電台がワイヤレスの送信手段を具備するとともに前記機器がワイヤレスの受信手段を具備し、前記機器を前記充電台から取外して使用する際に前記２次電池によって前記機器の受信手段と該受信手段の出力が供給される出力手段とが駆動されるようにすることが好ましい。また前記送信手段と前記受信手段との間で赤外線によって信号の送信を行なうことが好ましい。この場合には前記充電台に赤外線発光部が設けられるとともに前記機器に赤外線受光部が設けられるようにすることが好適である。また前記機器がワイヤレス式のヘッドホンであることが好適である。また前記ヘッドホンの出力ユニットの筐体がほぼ円形または楕円形の形状をなし、前記充電台のほぼ円弧状の受け面上において前記筐体の外周部が前記受け面に沿って回動して前記被係止部が前記係止部によって係止された位置で安定に保持されることが好ましい。
【００１１】
本願の別の主要な発明は、
ワイヤレスで使用する機器と、該機器を不使用時に載置しておく載置台を兼ねる充電台とを具備し、
前記機器側にワイヤレスで信号を受信する受信手段を設けるとともに、前記充電台側に前記機器に対してワイヤレスで信号を送信する送信手段を設け、
さらに前記機器側に電極と被係止部とを設けるとともに、前記充電台側に接点部材と係止部とを設け、
前記機器を前記充電台上に載置すると前記被係止部が前記係止部に係止され、前記機器の重量による前記被係止部と前記係止部との係止位置を支点とする回転モーメントによって前記電極が前記接点部材に圧着されることを特徴とする充電装置に関するものである。
【００１２】
ここで前記機器の下部に前記電極が設けられ、充電台上に前記機器を載置すると該充電台の受け面に臨んで設けられた接点部材に対して前記電極が圧着されるが好ましい。
【００１３】
充電方法に関する主要な発明は、
２次電池を内蔵する機器を充電台に載置して前記２次電池の充電を行なう充電方法において、
前記充電台側に係止部と接点部材とを設けるとともに、
前記機器側に前記係止部によって係止される被係止部と前記接点部材と接触して前記２次電池に給電を行なう電極とを設け、
前記機器を前記充電台に載置して前記被係止部を前記係止部によって係止すると、前記機器の重量による該機器の前記係止部を中心とする回転モーメントによって前記電極が前記接点部材に対して前記機器の重量よりも大きな力で圧着され、前記接点部材と前記電極とを通して給電されて２次電池が充電されることを特徴とする充電方法に関するものである。
【００１４】
ここで前記機器が充電台に載置されるとともに前記被係止部が前記係止部によって係止されると、前記機器の重心を通る鉛直線と前記係止部との間の位置で前記電極が前記接点部材と接触することが好適である。
【００１５】
本願に含まれる発明の好ましい態様は、充電台部と２次電池あるいはその他の充電可能な電源を内蔵したヘッドホン本体とから成り、充電台にヘッドホン本体を載せて固定する受け台部を持つヘッドホンシステムにおいて、双方の対応する部分に本体ハウジング部が回転によってヘッドホン本体が脱落するのを防止する係止機構を配置し、しかも水平方向から見てこの係止機構とヘッドホン本体を充電台に固定した際のヘッドホン本体の重心位置との間に電気接点を設置するようにしたものである。
【００１６】
またここで上記の態様のヘッドホンシステムが赤外線伝送による無線ヘッドホンシステムであってよい。また上記の無線ヘッドホンシステムにおいて充電台部と送信部とが結合されたものであってよい。また上記の態様において赤外線伝送に代えて電波伝送による無線ヘッドホンシステムであってよい。また上記の態様の無線ヘッドホンシステムであって充電台部と送信部とが一体化されたものであってよい。また上記の構造を用いた双方向通信可能なヘッドセットシステムであることが好ましい。双方向通信可能なヘッドホンシステムの場合には、ヘッドホンから２次電池の充電残量等の情報を充電台側に送信することが好適である。
また上記の構造を用いた音声の記録、再生または双方の機能を有するヘッドホンシステムであってよい。
【００１７】
上記のような態様のヘッドホン装置は、充電時に電気接点の接点圧を十分に確保し、接続を確実にすることができる。また充電台の受け台形状をヘッドホン本体と近似した形状とすることによって、ヘッドホン本体の固定を簡易にする効果がある。
【００１８】
【発明の実施の形態】
以下本願に含まれる発明を図示の実施の形態によって説明する。図１〜図６は本願の第１の実施の形態のワイヤレスヘッドホンの充電装置を示すものである。まず図１〜図３によってその構造的な特徴を説明する。
【００１９】
充電装置はワイヤレスヘッドホン１５と、このヘッドホン１５を充電する充電台１６とから構成される。ここで充電台１６は送信手段を兼ねており、その筐体の中央部であって前面側の上部には赤外線発光素子１７が複数個１列に配列されている。これらの赤外線発光素子１７は赤外線を発光するダイオードから構成され、カバー１８よって覆われている。
【００２０】
これに対してヘッドホン１５は出力ユニットを構成する一対の偏平な皿状をなす筐体２０を備えている。これらの筐体２０は側方から見るとほぼ円形または楕円形であってその耳と接触する側の部分にパッド２１が取付けられている。また一対の筐体２０はハンガー２２によって互いに連結されている。ハンガー２２の両端は二股に分かれたアーム２３になっており、このアーム２３の支点２４によって上記筐体２０が首振り自在に支持されている。
【００２１】
ハンガー２２の下側には頭頂部を押える押え２７が配されている。この押え２７はその両端から延出された伸縮自在な連結ベルト２８によってハンガー２２の両端側の部分に連結されている。またハンガー２２のアーム２３にはそれぞれ一対ずつの受光素子２９が収納されている。
【００２２】
また上記ヘッドホン１５の左右一対の筐体２０の内の一方、例えば左側の筐体２０の下端側の外周面上には被係合部を構成する凹部３０が形成されている。またこの凹部３０に対して円周方向にずれた位置に一対の電極３１が形成されている。
【００２３】
上述のようなヘッドホン１５の出力ユニットを構成する筐体２０を載置する充電台１６の両側にはそれぞれ円弧状に湾曲する受け板３５が連設されており、これらの受け板３５の上面が受け面３６に構成されている。この受け面３６の湾曲する円弧の曲率半径は上記筐体２０の半径よりやや大きな値になっており、出力ユニットの筐体２０が受け面３６上でその面に沿って滑らかに回動できるようになっている。そして受け面３６上には爪から成る係止部３７が突設されるとともに、爪３７の後方位置には一対の接点部材３８が配されている。これらの接点部材３８が上記ヘッドホン１５の筐体２０の電極３１と接触することによって、ヘッドホン１５側の２次電池３９の充電が行なわれるようになっている。
【００２４】
上記充電台１６とヘッドホン１５とによってワイヤレス式のヘッドホン装置が構成される。すなわち図４に示すように、送信器を構成する充電台１６がオーディオ機器に接続され、この送信器１６の発光素子１７が赤外線を発生するようになっている。そしてこの赤外線がヘッドホン１５から成る受信機の受光素子２９によって受光されると、受信機１５が受信した信号を復調して増幅し、再生ユニット６２、６６を駆動するようになっている。
【００２５】
図５は赤外線によって信号を発生する充電台１６側の電気的な構成を示しており、ここでは左側の信号端子にＡＧＣ回路４１が接続され、ＡＧＣ回路４１はさらにＦＭ変調器４２に接続され、ＦＭ変調器４２の出力端がトランジスタ４３のベースに接続されている。右側の信号端子にはＡＧＣ回路４４が接続され、このＡＧＣ回路４４の出力端がＦＭ変調器４５に接続されている。そしてＦＭ変調器４５の出力端がトランジスタ４６のベースに接続されている。
【００２６】
トランジスタ４３のエミッタはトランジスタ５１、５４のベースに接続され、これに対してトランジスタ４６のエミッタがトランジスタ５２、５３のベースに接続されている。トランジスタ５１、５２のコネクタは一対の赤外線発光素子１７の直列回路に直列に接続されている。またトランジスタ５３、５４のコネクタは一対の赤外線発光素子１７の直列回路に直列に接続されている。
【００２７】
次にヘッドホン１５側の受信回路は図６に示すように、受信用のフォトトランジスタ２９の並列回路と接続されたアンプ５７を備え、このアンプ５７にＬＲ分離回路５８が接続されている。ＬＲ分離回路５８の左側のチャンネルの出力端子はアンプ５９に接続され、このアンプ５９の出力はＦＭ復調器６０に接続されている。そしてＦＭ復調器６０の出力端が出力アンプ６１を介して変換器６２に接続されている。変換器６２がこのヘッドホン１５の左側の再生ユニットを構成している。
【００２８】
ＬＲ分離回路５８の右側のチャンネルの出力端子はアンプ６３に接続されている。そしてアンプ６３の出力端がＦＭ復調器６４に接続されている。ＦＭ復調器６４の出力側は出力アンプ６５を介して変換器６６に接続されている。変換器６６がこのヘッドホン１５の右側の再生ユニットを構成している。
【００２９】
次に以上のような構成に係る充電装置による充電の動作を説明する。図１および図２に示すように、ヘッドホン１５を充電台１６に載置する。ヘッドホン１５には上述の如くハンガー２２によって互いに連結された左右一対の筐体２０が設けられており、これらの筐体２０を充電台１６の両側の受け板３５の受け面３６上に載置する。このときに図２に示すように、左右の筐体２０の下端側であって上記電極３１が設けられている部位が充電台１６の受け面３６の接点部材３８の後側に位置するようにヘッドホン１５を充電台１６上に載置する。
【００３０】
この後ヘッドホン１５を充電台１６の受け板３５の円弧状に湾曲する受け面３６上においてこの円弧面に沿って、図３に示すようにヘッドホン１５の筐体２０を反時計方向に回動させる。するとヘッドホン１５の筐体２０の下端の被係合部３０が充電台１６の受け面３６の爪３７に係止される。そしてこのとき同時に筐体２０側の電極３１が充電台１６の接点部材３８と図３に示すように接触した状態で静止する。すなわちヘッドホン１５の電極３１と充電台１６の接点部材３８とが互いに接続される。従ってこの充電台１６の内部に設けられている電源回路から接点部材３８および電極３１を通してヘッドホン１５の２次電池３９に給電が行なわれ、２次電池３９が充電される。
【００３１】
このような充電動作に際にヘッドホン１５側の電極３１と充電台１６の接点部材３８とは梃の原理によってこのヘッドホン１５の重量よりも大きな力で互いに圧着される。その理由を以下に説明する。
【００３２】
今このヘッドホン１５の重心を図３においてＧとし、これに対してこのヘッドホン１５の回動運動の支点となる被係止部３０と係止部３７との係止点をＦとする。そしてＧからの鉛直線とＦを通る水平線との交点をＡとし、一対の電極３１の中間の部分の点においてヘッドホン１５が充電台１６から受ける反力をＰとする。またＰに対してＦから下ろした垂線の足をＢとする。そしてＦ、Ａ間の距離をＬ１　とし、Ｆ、Ｂ間の距離をＬ２　とする。
【００３３】
するとこのヘッドホン１５が重心Ｇに働く重量ＷによってＦを中心として反時計方向に回転しようとする回転モーメントはＷ・Ｌ１　となる。これに対してＢ点で電極３１が受ける反力Ｐによってこのヘッドホン１５が時計方向に回動する力を受ける。この力がＰ・Ｌ２　である。すなわちこの反力Ｐによってヘッドホン１５がＦを中心として時計方向に回動しようとするモーメントＰ・Ｌ２　を受ける。ここで図３に示す角度でヘッドホン１５が静止していることから、Ｆを中心とする互いに逆方向のモーメントがバランスしていることになる。よって次の式が成立する。
【００３４】
Ｗ・Ｌ１　＝Ｐ・Ｌ２　
よって　Ｐ＝Ｗ・Ｌ１　／Ｌ２　
ここで図３から明らかなようにＬ１　の方がＬ２　よりも大きいために、ＰはＷよりも大きな値になる。すなわち電極３１と接点部材３８との接触圧はこのヘッドホン１５の重量よりも大きな値になる。よってヘッドホン１５の電極３１と充電台１６の接点部材３８とがいわゆる梃の原理によって、より確実に強固な圧力で接触することになる。
【００３５】
次にこのような充電台１６から成る送信装置とヘッドホン１５とによる使用動作を説明する。図４に示すように充電台１６は送信器を兼ねており、その発光素子１７によって赤外線を媒体として信号をワイヤレスでヘッドホン１５に供給する。ヘッドホン１５はこの信号を受光素子２９によって受け、中に設けられている受信回路によって左右の音声信号を再生し、再生ユニット６２、６６を駆動することになる。従ってヘッドホン１５を装着した人はワイヤレスで音声を聞くことができる。
【００３６】
オーディオ信号が図５に示す充電台１６の受信回路の左右の入力端子に供給される。左右のオーディオ信号はＡＧＣ４１、４４を経てＦＭ変調器４２、４５に供給され、ここで左右のオーディオ信号がＦＭ変調される。そしてＦＭ変調された出力がバッファを構成するトランジスタ４３、４６に供給される。トランジスタ４３はトランジスタ５１、５４のベース電流を制御するようになっており、これに対してトランジスタ４６はトランジスタ５２、５３のベース電流を制御する。そしてトランジスタ５１〜５４は赤外線発光素子１７の直列回路に接続されているために、トランジスタ５１〜５４の導通によって左右のオーディオ信号をＦＭ変調した赤外線信号が発光素子１７によって発生する。なお左右のオーディオ信号をＦＭ変調するＦＭ変調器４２、４５の搬送周波数は互いに異なるようにすることが好ましい。
【００３７】
充電台１６の赤外線発光素子１７が発生する光はカバー１８を透過してヘッドホン１５の受光素子２９によって受光される。図６に示すようにこの発光素子２９による検出電流がアンプ５７によって増幅され、ＬＲ分離回路５８によって左右のオーディオ信号に応じたＦＭ変調信号に分離される。そしてこれらの分離された信号がそれぞれアンプ５９、６３によって増幅されるとともに、ＦＭ復調回路６０、６４によってオーディオ信号に復調される。復調されたオーディオ信号はアンプ６１、６５によって増幅され、変換器６２、６６を駆動する。これによって音声信号の再生が行なわれる。
【００３８】
次に別の実施の形態を図７および図８によって説明する。この実施の形態の充電装置もヘッドホン１５と充電台１６によって構成される。ここでヘッドホン１５はハンガー２１の両端のアーム２３が直接出力ユニットの筐体２０に固着されるようになっており、このために筐体２０はアーム２３に対して首振り動作を行なうことができない。すなわちこのヘッドホンは耳に対する角度をハンガー２２の変形量によって調整するようにしたものである。このような構造によってヘッドホン１５は上記第１の実施の形態のヘッドホン（図１〜図３参照）に比べて一回り小さくなっている。
【００３９】
一方充電台１６はその両側に異形の箱型の受け板３５を備え、これらの受け板３５の底面が受け面３６になっている。そして受け面３６には爪から成る係止部３７と接点部材３８とが設けられている。係止部３７はヘッドホン１５側の被係止部３０を係止するようになっており、接点部材３８はヘッドホン１５側の電極３１と接触するようになっている。
【００４０】
このようなヘッドホン１５を図７に示す姿勢で静かにその筐体２０を受け板３５内に収納し、この状態でヘッドホン１５を図８において矢印で示すように反時計方向に回動させると、このヘッドホン１５の筐体２０の底部に設けられている凹部３０が充電台１６の受け板３５の受け面３６上の係止部３７によって係止される。そしてこのときに同時に充電台１６側の接点部材３８に対してヘッドホン１５側の電極３１が圧着される。この圧着の動作は係止部３７を中心としてこのヘッドホン１５の重心を通る重力で発生する回転モーメントによるものであって、ヘッドホン１５の重量による圧着力によりも大きな圧着力で接点部材３８に対して電極３１が圧着されることになる。従ってこのような実施の形態においても、上記第１の実施の形態と同様の作用効果を奏することが可能である。
【００４１】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態のヘッドホン１５と充電台１６とは赤外線を使ってワイヤレスで信号を送受信するようになっているが、赤外線に代えて電波によって信号を送受信してもよい。また充電台１６はヘッドホン１５の２次電池３９を充電するようになっているが、必ずしもヘッドホン１５に限られることなく、その他各種のワイヤレスで作動する機器の２次電池の充電に広く適用可能である。
【００４２】
【発明の効果】
本願の主要な発明は、２次電池を内蔵する機器を充電台に載置して２次電池の充電を行なう充電装置において、充電台側に係止部と接点部材とを設けるとともに、機器側に係止部によって係止される被係止部と接点部材と接触して２次電池に給電を行なう電極とを設け、機器を充電台に載置して被係止部を係止部によって係止すると、機器の重量による該機器の係止部を中心とする回転モーメントによって電極が接点部材に対して機器の重量よりも大きな力で圧着されるようにしたものである。
【００４３】
従ってこのような充電装置によれば、電極と接点部材との接触が機器の重量による回転モーメントを利用して行なわれることになり、重量による場合よりも大きな圧着力で確実に電極が接点部材に接触し、これによって安定な充電動作が達成される。
【図面の簡単な説明】
【図１】充電台による充電装置を示す分解斜視図である。
【図２】同ヘッドホンの装着の動作を示す側面図である。
【図３】装着されたときの電極と接点部材との接触の状態を示す側面図である。
【図４】ワイヤレスでの信号の送受信のシステムを示すブロック図である。
【図５】充電台の送信回路の回路図である。
【図６】ヘッドホン側の受信回路の回路図である。
【図７】別の実施の形態のヘッドホンの装着動作を示す分解斜視図である。
【図８】同装着を終った状態の側面図である。
【図９】従来のヘッドホンの２次電池の充電装置を示す分解斜視図である。
【符号の説明】
１‥‥ヘッドホン、２‥‥送信装置、３‥‥係合凹部、４‥‥ハンガー部、５‥‥隆起部、６‥‥ピン、７‥‥孔、８‥‥２次電池、９‥‥発光素子、１０‥‥受光素子、１５‥‥ヘッドホン、１６‥‥充電台、１７‥‥赤外線発光素子、１８‥‥カバー、２０‥‥筐体（出力ユニット）、２１‥‥パッド、２２‥‥ハンガー、２３‥‥アーム、２４‥‥支点、２７‥‥押え、２８‥‥連結ベルト、２９‥‥受光素子、３０‥‥凹部（被係止部）、３１‥‥電極、３５‥‥受け板、３６‥‥受け面、３７‥‥係止部（爪）、３８‥‥接点部材、３９‥‥２次電池、４１‥‥ＡＧＣ回路、４２‥‥ＦＭ変調器、４３‥‥トランジスタ、４４‥‥ＡＧＣ回路、４５‥‥ＦＭ変調器、４６‥‥トランジスタ、５１〜５４‥‥トランジスタ、５７‥‥アンプ、５８‥‥ＬＲ分離回路、５９‥‥アンプ、６０‥‥ＦＭ復調器、６１‥‥出力アンプ、６２‥‥変換器（再生ユニット）、６３‥‥アンプ、６４‥‥ＦＭ復調器、６５‥‥出力アンプ、６６‥‥変換器（再生ユニット）
【図１】
2004112858.tif 000003
【図２】
2004112858.tif 000004
【図３】
2004112858.tif 000005
【図４】
2004112858.tif 000006
【図５】
2004112858.tif 000007
【図６】
2004112858.tif 000008
【図７】
2004112858.tif 000009
【図８】
2004112858.tif 000010
【図９】
2004112858.tif 000011